(57)【特許請求の範囲】
【請求項１】
セルを管理する小型基地局と、第１、第２、および第３のサーバとがネットワークを介して接続される通信システムにおいて、
前記小型基地局は、
自身が管理するセルに在圏している移動機と無線通信する無線通信手段と、
前記セルを含む領域に対して、放送波を放送する放送手段と、
前記セルに前記移動機が在圏したことを表す情報を前記第１のサーバに送信する送信手段と、
前記第３のサーバから送信されてきた、前記セルに在圏する前記移動機の当該セルへの在圏回数に応じた前記放送波の所定のチャネルを通知する情報を受信し、前記所定のチャネルを前記移動機に受信させるように前記無線通信手段を制御する制御手段と
を備え、
前記第１のサーバは、
前記小型基地局が管理する前記セルに前記移動機が在圏したことを表す情報が前記小型基地局から送信されてきた場合、そのことを表す情報を前記第２のサーバに送信する送信手段を備え、
前記第２のサーバは、
前記小型基地局が管理する前記セルに前記移動機が在圏したことを表す情報が前記第１のサーバから送信されてきた場合、前記小型基地局が管理する前記セルに対する前記移動機の在圏回数を計算する計算手段と、
前記計算手段により計算された前記在圏回数を表す情報を前記第３のサーバに送信する送信手段と
を備え、
前記第３のサーバは、
前記第２のサーバから送信されてきた情報により表される前記在圏回数に応じた前記放送波の前記所定のチャネルを通知する情報を前記小型基地局に送信する送信手段を備える
通信システム。
【請求項２】
前記第１のサーバは、前記小型基地局が管理する前記セルに前記移動機が在圏していることを表す情報が前記小型基地局から送信されてきてから、あらかじめ設定された所定の時間経過後に、そのことを表す情報を前記第２のサーバに送信する
請求項１に記載の通信システム。
【発明の詳細な説明】
【技術分野】
【０００１】
本発明は、通信システムに関し、特に、在圏回数に応じたコンテンツを提供することができるようにした通信システムに関する。
【背景技術】
【０００２】
近年、家庭内、オフィス内など、半径数十メートル程度の狭い範囲を通信可能範囲としてカバーするための「フェムトセル」が注目されている。
【０００３】
「フェムトセル」は、そのような狭い範囲をカバーする程度のレベルの電波を出力する基地局であるフェムトセル基地局を、ADSL(Asymmetric Digital Subscriber Line)回線、光ファイバ回線などのブロードバンド回線の屋内装置に接続することによって構築される。
【０００４】
不特定多数の公衆向けのものであって半径数百メートルから数キロメートルの広いセルである「マクロセル」とは異なり、「フェムトセル」はフェムトセル基地局が設置された家屋の住人などの限られたユーザに対して通信サービスを提供するものである。
【０００５】
例えば、屋外にいるユーザが、マクロセルに在圏している状態の移動機を使って音声通話を行った場合、その音声データはマクロセルをカバーするマクロセル基地局から無線アクセスネットワークおよびコアネットワークを介して通信相手の移動機に送信される。
【０００６】
一方、屋内にいるユーザが、フェムトセルに在圏している状態の移動機を使って音声通話を行った場合、その音声データはフェムトセル基地局からモデムに出力され、ブロードバンド回線、コアネットワークなどを介して通信相手の移動機に送信される。
【０００７】
また、近年、ワンセグメント放送対応の携帯機器が普及してきている。ワンセグメント放送は、UHF帯の４７０〜７１０MHzの帯域を１３〜５２chの４０のチャネルに分け、１つのチャネルの周波数帯域幅である６MHzを１３のセグメントに分割し、そのうちの１セグメント分の帯域を使って行われる携帯機器向けの放送である。
【０００８】
ワンセグメント放送対応の携帯機器の普及に伴い、そのようなワンセグメント放送対応の携帯機器を持つユーザ向けのサービスを提供するシステムが提案、または実現されている。例えば、ワンセグメント放送に使う電波の出力を抑えることによって、地域に特化したコンテンツを配信するシステムが提案されている（特許文献１）。
【先行技術文献】
【特許文献】
【０００９】
【特許文献１】特開２００６−２７９３７６号公報
【特許文献２】特開２００７−１１６３９１号公報
【特許文献３】特開２００７−１４０８２９号公報
【特許文献４】特開２００５−１７５６１１号公報
【特許文献５】特開２００２−２１８５２８号公報
【発明の概要】
【発明が解決しようとする課題】
【００１０】
フェムトセルを使った無線通信と、地域に特化したワンセグメント放送を組み合わせた場合、様々な用途に用いることができるものと考えられる。
【００１１】
例えば、あるエリア内に入っている全てのユーザに同じコンテンツをワンセグメント放送で提供するのではなく、それぞれのユーザがエリア内に過去に入った回数に応じて、異なるコンテンツをワンセグメント放送で提供するような用途も考えられる。エリア内に入った回数は、そのエリアに形成されているフェムトセルに移動機が過去に在圏した回数によって特定される。
【００１２】
本発明はこのような状況に鑑みてなされたものであり、在圏回数に応じたコンテンツを提供することができるようにするものである。
【課題を解決するための手段】
【００１７】
本発明の通信システムは、セルを管理する小型基地局と、第１、第２、および第３のサーバとがネットワークを介して接続される提供システムであって、前記小型基地局は、自身が管理するセルに在圏している移動機と無線通信する無線通信手段と、前記セルを含む領域に対して、放送波を放送する放送手段と、前記セルに前記移動機が在圏したことを表す情報を前記第１のサーバに送信する送信手段と、前記第３のサーバから送信されてきた、前記セルに在圏する前記移動機の当該セルへの在圏回数に応じた前記放送波の所定のチャネルを通知する情報を受信し、前記所定のチャネルを前記移動機に受信させるように前記無線通信手段を制御する制御手段とを備える。
【００１８】
また、本発明の通信システムの前記第１のサーバは、前記小型基地局が管理する前記セルに前記移動機が在圏したことを表す情報が前記小型基地局から送信されてきた場合、そのことを表す情報を前記第２のサーバに送信する送信手段を備え、前記第２のサーバは、前記小型基地局が管理する前記セルに前記移動機が在圏したことを表す情報が前記第１のサーバから送信されてきた場合、前記小型基地局が管理する前記セルに対する前記移動機の在圏回数を計算する計算手段と、前記計算手段により計算された前記在圏回数を表す情報を前記第３のサーバに送信する送信手段とを備える。さらに、前記第３のサーバは、前記第２のサーバから送信されてきた情報により表される前記在圏回数に応じた前記放送波の前記所定のチャネルを通知する情報を前記小型基地局に送信する送信手段を備える。
【００１９】
前記第１のサーバには、前記小型基地局が管理する前記セルに前記移動機が在圏していることを表す情報が前記小型基地局から送信されてきてから、あらかじめ設定された所定の時間経過後に、そのことを表す情報を前記第２のサーバに送信させることができる。
【発明の効果】
【００２４】
本発明によれば、在圏回数に応じたコンテンツを提供することができる。
【図面の簡単な説明】
【００２５】
【図１】本発明の一実施形態に係る通信システムの構成例を示す図である。
【図２】コンテンツの提供の例を示す図である。
【図３】図１の通信システムの処理について説明するシーケンス図である。
【図４】フェムトセル基地局の構成例を示すブロック図である。
【図５】フェムトセル基地局の機能構成例を示すブロック図である。
【図６】移動機の構成例を示すブロック図である。
【図７】移動機の機能構成例を示すブロック図である。
【図８】HSSの構成例を示すブロック図である。
【図９】フェムトセルコアネットワークを構成する各装置の機能構成例を示すブロック図である。
【図１０】チャネル管理部が管理する情報の例を示す図である。
【図１１】本発明の他の実施形態に係る通信システムの構成例を示す図である。
【図１２】クーポン画像の提供の例を示す図である。
【図１３】図１１の通信システムの処理について説明するシーケンス図である。
【図１４】図１１の移動機の機能構成例を示すブロック図である。
【図１５】図１１のフェムトセルコアネットワークを構成する各装置の機能構成例を示すブロック図である。
【図１６】クーポン画像管理部が管理する情報の例を示す図である。
【図１７】フェムトセル基地局の機能構成例を示すブロック図である。
【図１８】図１７のフェムトセル基地局の処理について説明するフローチャートである。
【発明を実施するための形態】
【００２６】
＜第１の実施の形態＞
［通信システムの構成例］
図１は、本発明の一実施形態に係る通信システムの構成例を示す図である。
【００２７】
図１の例においては、家屋やオフィスビルなどの建物Ｂ内にフェムトセル基地局１が設置されており、フェムトセル基地局１によりフェムトセルＦが形成されている。フェムトセルＦの範囲を実線の楕円で示す。
【００２８】
フェムトセルＦは、公衆網を構成するマクロセルより狭い、半径数メートル、数十メートルなどの、フェムトセル基地局１が設置されている建物Ｂ内の範囲をカバーするセルである。
【００２９】
フェムトセル基地局１にはLAN(Local Area Network)ケーブル２を介してモデム３が接続されている。モデム３は、ADSL回線や光ファイバ回線などよりなるブロードバンド回線４の宅内装置である。フェムトセル基地局１にモデム機能が搭載されている場合、フェムトセル基地局１がブロードバンド回線４に直接接続されるようにしてもよい。
【００３０】
フェムトセル基地局１は、LANケーブル２、モデム３、およびブロードバンド回線４を介して、インターネットなどよりなるネットワーク５に接続され、フェムトセルＦに在圏している移動機が行う音声データなどの通信を中継する。
【００３１】
図１の例においては、携帯電話機である移動機２１がフェムトセルＦに在圏している。移動機２１は、例えばCDMA(Code Division Multiple Access)方式に従って、音声データなどの各種のデータの送受信をフェムトセル基地局１との間で行う。
【００３２】
フェムトセル基地局１は、フェムトセルによる無線通信機能だけでなく、ワンセグメント放送によってコンテンツを提供する機能も有する。例えば、フェムトセル基地局１に装着されたメモリカードなどの記録媒体に記録されているコンテンツや、ネットワークを介して外部の装置から送信されてきたコンテンツがワンセグメント放送によって提供される。
【００３３】
フェムトセル基地局１がワンセグメント放送に使う周波数帯域は、ISDB-T仕様の地上デジタル放送規格のワンセグメント放送と同じ、UHF帯の４７０〜７１０MHzの帯域であるが、出力する電波の電界強度は、フェムトセルＦと同程度の半径数メートルから数十メートルの範囲をカバーする強度である。フェムトセル基地局１がワンセグメント放送に使う電波の強度は、半径数キロメートル、数十キロメートルなどの範囲を対象として放送塔などが出力する電波の強度より弱い。
【００３４】
以下、適宜、フェムトセルＦと同程度の範囲を対象としてフェムトセル基地局１が行うワンセグメント放送をエリアワンセグメント放送という。
【００３５】
また、フェムトセル基地局１が出力する電波のうち、フェムトセルＦを形成して無線通信を行うための電波を、単に、通信波といい、エリアワンセグメント放送を行うための電波を、単に、放送波という。
【００３６】
ISDB-T仕様の地上デジタル放送規格によれば、UHF帯の４７０〜７１０MHzの帯域を４０の物理チャネルに分け、それぞれの物理チャネルを１３〜５２chとしてデジタル放送が行われる。
【００３７】
図１の例においては、建物Ｂ内の破線の楕円で示す範囲を対象として、１３chと１６chを使ってエリアワンセグメント放送が行われている。図１においては楕円の範囲をずらして示しているが、実際には、通信波が到達するフェムトセルＦの範囲、１３chの放送波が到達する範囲、および１６chの放送波が到達する範囲は全てほぼ一致する。
【００３８】
フェムトセル基地局１が出力する電波の到達範囲内にいる移動機２１のユーザは、フェムトセルＦを使って外部の装置と通信を行うことができるとともに、１３chまたは１６chの放送波を受信してコンテンツを利用することもできることになる。移動機２１には、ワンセグメント放送を受信する機能も搭載されている。
【００３９】
一連の処理については後述するが、図１の通信システムにおいては、フェムトセルＦに在圏した回数に応じた動画コンテンツがエリアワンセグメント放送によって提供される。
【００４０】
図２は、コンテンツの提供の例を示す図である。
【００４１】
フェムトセル基地局１が飲食店などの店舗内に設置されており、店舗内にフェムトセルＦとエリアワンセグメント放送の受信可能エリアが形成されているものとする。また、図２の上方に示すユーザＵ１は、フェムトセル基地局１が設置されている店舗の常連客であり、下方に示すユーザＵ２は、新規で来店した客であるものとする。
【００４２】
ユーザＵ１が店舗に入り、ユーザＵ１の移動機がフェムトセルＦに在圏した場合、点線矢印Ａ１で示すように、ユーザＵ１の来店回数が確認される。在圏回数が来店回数と等しいものとして扱われ、ユーザＵ１の来店回数は、ユーザＵ１の移動機がフェムトセルＦに在圏した回数により特定される。図１の来店回数管理AS(Application Server)１４においては、各ユーザの来店回数が移動機の識別情報と対応付けて管理されている。
【００４３】
来店回数が多いことからユーザＵ１が常連客であると判断された場合、実線矢印Ａ２で示すように、フェムトセル基地局１からユーザＵ１の移動機に対して、１３chの放送波を受信するように誘導するメールが送信される。１３chは、常連客用の動画コンテンツの放送に使うチャネルとされている。
【００４４】
このメールを受信した移動機においては、ワンセグメント放送の受信を管理するアプリケーションがユーザの操作によらずに起動し、メールによって指定された１３chの受信が開始される。
【００４５】
これにより、ユーザＵ１の移動機においては、１３chで提供される常連客用の動画コンテンツの再生が行われる。図２の例においては、「毎度ありがとうございます。」のメッセージなどを表示する画面を含む動画コンテンツ＃１の再生がユーザＵ１の移動機において行われている。
【００４６】
一方、ユーザＵ２が店舗に入り、ユーザＵ２の移動機がフェムトセルＦに在圏した場合、点線矢印Ａ１１で示すように、ユーザＵ２の来店回数が確認される。
【００４７】
ユーザＵ２が新規の顧客であると判断された場合、実線矢印Ａ１２で示すように、フェムトセル基地局１からユーザＵ２の移動機に対して、１６chの放送波を受信するように誘導するメールが送信される。１６chは、新規の顧客用の動画コンテンツの放送に使うチャネルとされている。
【００４８】
このメールを受信した移動機においては、ワンセグメント放送の受信を管理するアプリケーションが起動し、メールによって指定された１６chの受信が開始される。
【００４９】
これにより、ユーザＵ２の移動機においては、１６chで提供される新規の客用の動画コンテンツの再生が行われる。図２の例においては、「いらっしゃいませ。初めてのご来店ありがとうございます。」のメッセージなどを表示する画面を含む動画コンテンツ＃２の再生がユーザＵ２の移動機において行われている。
【００５０】
このように、図１の通信システムにおいては、フェムトセルＦに在圏した回数に応じた動画コンテンツがエリアワンセグメント放送によって提供される。上述したコンテンツの他に、常連客の移動機に対して隠れメニューを紹介する動画コンテンツが提供されたり、新規に開店した姉妹店を紹介する動画コンテンツが提供されるようにしてもよい。
【００５１】
図１には１つのフェムトセル基地局しか示していないが、フェムトセル基地局１と同様に、フェムトセルを使った無線通信機能と、エリアワンセグメント放送によってコンテンツを提供する機能とを有するフェムトセル基地局が複数の店舗にそれぞれ設置される。
【００５２】
図１の説明に戻り、フェムトセル基地局１側から見てブロードバンド回線４の先には、ネットワーク５を介して、HSS(Home Subscriber Server)１１、在圏・離圏管理AS１２、エリアワンセグメント放送管理AS１３、および来店回数管理AS１４が接続されている。
【００５３】
HSS１１、在圏・離圏管理AS１２、エリアワンセグメント放送管理AS１３、および来店回数管理AS１４によって、フェムトセルのコアネットワークが構築される。フェムトセルのコアネットワークには、音声データの交換機としての機能を有するSIP(Session Initiation Protocol)サーバであるCSCF(Call Session Control Function)なども設けられる。
【００５４】
HSS１１は、あるセルに在圏した移動機から送信されてくる位置登録の要求を受信する。HSS１１は、位置登録の要求を送信してきた移動機の識別情報と、その移動機が在圏したセルを管理する基地局の識別情報とを在圏・離圏管理AS１２に送信する。
【００５５】
在圏・離圏管理AS１２は、HSS１１から送信されてきた情報に基づいて、各移動機が在圏しているセルに関する情報を記憶する。例えば図１の移動機２１がフェムトセルＦに在圏している場合、フェムトセル基地局１の識別情報と移動機２１の識別情報が対応付けて登録される。
【００５６】
エリアワンセグメント放送管理AS１３は、フェムトセル基地局がエリアワンセグメント放送に使うチャネルと来店回数の関係を表す情報を記憶する。例えば、１３chは来店回数１０回以上、１４chは来店回数５回、１５chは来店回数３回、１６chは来店回数１回といったように、チャネルの番号と来店回数が対応付けて管理される。
【００５７】
エリアワンセグメント放送管理AS１３は、あるユーザの来店回数の情報が来店回数管理AS１４から送信されてきた場合、そのユーザの移動機が在圏しているフェムトセルを管理するフェムトセル基地局が使う複数のチャネルのうち、来店回数に応じたチャネルを決定する。エリアワンセグメント放送管理AS１３は、決定したチャネルを指定する情報を含むメールを作成し、移動機に送信する。
【００５８】
来店回数管理AS１４は、それぞれの客の来店回数を、それぞれの客の移動機の識別情報と対応付けて管理する。
【００５９】
［通信システムの処理］
図３のシーケンスを参照して、来店回数に応じたコンテンツをエリアワンセグメント放送によって提供する図１の通信システムの処理について説明する。
【００６０】
この処理は、移動機２１がフェムトセルＦに在圏したときに開始される。移動機２１がフェムトセルＦに在圏する前のステップＳ４１において、複数のチャネルを使ったエリアワンセグメント放送がフェムトセル基地局１により開始されている。
【００６１】
ステップＳ５１において、移動機２１は、位置登録の要求をフェムトセル基地局１に送信する。位置登録の要求には移動機２１の識別情報も含まれている。
【００６２】
ステップＳ４２において、フェムトセル基地局１は、移動機２１からの位置登録の要求を受信する。
【００６３】
ステップＳ４３において、フェムトセル基地局１は、フェムトセルＦに新たに在圏した移動機２１の識別情報と、自身の識別情報を送信し、移動機２１と自身の認証をHSS１１に行わせる。フェムトセル基地局１から送信された情報は、LANケーブル２、モデム３、ブロードバンド回線４、およびネットワーク５を介してHSS１１に到達する。
【００６４】
ステップＳ１において、HSS１１は、フェムトセル基地局１から送信されてきた情報を受信し、あらかじめ登録されている情報を参照するなどしてフェムトセル基地局１と移動機２１の認証を行う。
【００６５】
フェムトセル基地局１と移動機２１の認証が成功した場合、ステップＳ２において、HSS１１は、移動機２１がフェムトセルＦに在圏していることを表す情報である在圏情報を、ネットワーク５を介して在圏・離圏管理AS１２に送信する。在圏情報には、フェムトセル基地局１の識別情報と移動機２１の識別情報が含まれている。
【００６６】
ステップＳ１１において、在圏・離圏管理AS１２は、HSS１１から送信されてきた在圏情報を受信する。
【００６７】
ステップＳ１２において、在圏・離圏管理AS１２は、タイマによる所定の時間の計測を開始する。
【００６８】
ここでの時間の計測は、フェムトセルＦが形成されている店舗に一度入ったがすぐに出たような人がいた場合に、その入店を来店回数としてカウントしないようにするために行われる。例えば１０分といったような所定の時間があらかじめ設定されており、設定されている時間が経過する前に、フェムトセルＦ以外の他のセルに移動機２１が在圏したことを表す在圏情報がHSS１１から送信されてきた場合、それ以降の処理は中止される。
【００６９】
あらかじめ設定されている所定の時間が経過した場合、ステップＳ１３において、在圏・離圏管理AS１２は、HSS１１から送信されてきた在圏情報を、ネットワーク５を介して来店回数管理AS１４に送信する。
【００７０】
ステップＳ３１において、来店回数管理AS１４は、在圏・離圏管理AS１２から送信されてきた在圏情報を受信する。
【００７１】
ステップＳ３２において、来店回数管理AS１４は、移動機２１のユーザの来店回数を計算する。来店回数管理AS１４においては、移動機２１の識別情報と対応付けて、フェムトセルＦが形成されている店舗に移動機２１のユーザが過去に来店した回数（フェムトセルＦに過去に在圏した回数）が管理されている。来店回数管理AS１４は、在圏情報に含まれる移動機２１の識別情報と対応付けて管理している回数に１を加算することによって、移動機２１のユーザの現在の来店回数を計算する。
【００７２】
ステップＳ３３において、来店回数管理AS１４は、計算した来店回数の情報を、ネットワーク５を介してエリアワンセグメント放送管理AS１３に送信する。エリアワンセグメント放送管理AS１３に対しては、フェムトセル基地局１の識別情報と移動機２１の識別情報も送信される。
【００７３】
ステップＳ２１において、エリアワンセグメント放送管理AS１３は、来店回数管理AS１４から送信されてきた来店回数の情報を受信する。
【００７４】
ステップＳ２２において、エリアワンセグメント放送管理AS１３は、移動機２１のユーザの来店回数に応じたチャネルを、フェムトセル基地局１がエリアワンセグメント放送に使っている複数のチャネルの中から決定する。また、エリアワンセグメント放送管理AS１３は、決定したチャネルを指定する情報を含む、移動機２１を送信先とするメールを作成する。
【００７５】
エリアワンセグメント放送管理AS１３により作成されるメールは、メールアドレスによって送信先を指定するいわゆるＥメールであってもよいし、電話番号によって送信先を指定するSMS(Short Message Service)のメールであってもよい。エリアワンセグメント放送管理AS１３には、各移動機のメールアドレスや電話番号などの情報があらかじめ登録されている。
【００７６】
また、チャネルを指定する情報を含むメールの送信に用いられるメールアドレスや電話番号などの情報が移動機２１の識別情報と対応付けてHSS１１に登録されているようにしてもよい。この場合、エリアワンセグメント放送管理AS１３は、メールアドレスや電話番号などの情報を送信することをHSS１１に要求し、要求に応じてHSS１１から送信されてきた情報を用いて、チャネルを指定する情報を含むメールを移動機２１に送信する。エリアワンセグメント放送管理AS１３からHSS１１に送信される要求には移動機２１の識別情報が含まれており、その識別情報に基づいて、移動機２１のメールアドレスや電話番号などの情報がHSS１１により特定される。
【００７７】
エリアワンセグメント放送管理AS１３により作成されるメールには、受信チャネルを指定する情報の他に、ワンセグメント放送の受信を管理するアプリケーションの起動を指示するコマンドも含まれる。
【００７８】
エリアワンセグメント放送管理AS１３により作成されたメールを受信した移動機２１においては、アプリケーションの起動が行われ、その後、指定されたチャネルの受信が開始される。エリアワンセグメント放送管理AS１３が作成するメールは、ワンセグメント放送の所定のチャネルを受信するように移動機２１を誘導するメールとなる。以下、適宜、エリアワンセグメント放送管理AS１３が作成するメールをチャネル誘導メールという。
【００７９】
ステップＳ２３において、エリアワンセグメント放送管理AS１３は、移動機２１の現在の在圏状況を在圏・離圏管理AS１２に問い合わせる。
【００８０】
ステップＳ１４において、在圏・離圏管理AS１２は、エリアワンセグメント放送管理AS１３からの問い合わせを受信し、移動機２１が在圏しているセルを表す在圏状況情報をエリアワンセグメント放送管理AS１３に送信する。在圏・離圏管理AS１２が送信する在圏状況情報には、移動機２１が現在在圏しているセルを管理する基地局の識別情報が含まれる。
【００８１】
ステップＳ２４において、エリアワンセグメント放送管理AS１３は、在圏・離圏管理AS１２から送信されてきた在圏状況情報を受信し、移動機２１がフェムトセルＦに在圏し続けているか否かを確認する。移動機２１がフェムトセルＦに既に在圏していない場合、処理は終了される。
【００８２】
一方、移動機２１がフェムトセルＦに在圏し続けていることを確認した場合、ステップＳ２５において、エリアワンセグメント放送管理AS１３はチャネル誘導メールを送信する。エリアワンセグメント放送管理AS１３から送信されたチャネル誘導メールは、ネットワーク５、ブロードバンド回線４、モデム３、およびLANケーブル２を介してフェムトセル基地局１に到達する。
【００８３】
ステップＳ４４において、フェムトセル基地局１は、エリアワンセグメント放送管理AS１３から送信されてきたチャネル誘導メールを受信し、無線通信を介して移動機２１に送信する。
【００８４】
ステップＳ５２において、移動機２１は、フェムトセル基地局１から送信されてきたチャネル誘導メールを受信する。
【００８５】
ステップＳ５３において、移動機２１は、チャネル誘導メールの内容を表示し、エリアワンセグメント放送が行われていることをユーザに通知する。
【００８６】
移動機２１に設けられる決定ボタンを押すなどの所定の操作がユーザにより行われた場合、ステップＳ５４において、移動機２１は、ワンセグメント放送の受信を管理するアプリケーションを起動し、指定されるチャネルの受信を開始する。
【００８７】
これにより、移動機２１の画面には、移動機２１のユーザの来店回数に応じたチャネルで放送されている動画コンテンツが表示される。
【００８８】
以上の処理により、フェムトセルＦに対する在圏回数に応じた動画コンテンツを、エリアワンセグメント放送を使って移動機２１に提供することができる。
【００８９】
在圏回数に応じた動画コンテンツの放送が行われているチャネルがチャネル誘導メールによって指定され、指定されたチャネルの受信が自動的に開始されるから、移動機２１のユーザはチャネルの選択などを自ら行う必要がない。
【００９０】
［各装置の構成例］
図４は、フェムトセル基地局１の構成例を示すブロック図である。
【００９１】
図４に示すように、フェムトセル基地局１は、ネットワーク通信部３１、制御部３２、無線通信部３３、アンテナ３４、エリアワンセグメント放送部３５、およびアンテナ３６から構成される。
【００９２】
ネットワーク通信部３１はネットワークのインタフェースであり、TCP/IP(Transmission Control Protocol/Internet Protocol)、UDP(User Datagram Protocol)などの所定のプロトコルに従って、LANケーブル２とモデム３を介して通信を行う。
【００９３】
ネットワーク通信部３１は、無線通信部３３から供給された、フェムトセルＦに在圏している移動機２１からの音声データをモデム３に出力してCSCFなどに送信させる。また、ネットワーク通信部３１は、CSCFから送信され、モデム３により受信された音声データを受信し、無線通信部３３に出力する。
【００９４】
ネットワーク通信部３１は、エリアワンセグメント放送管理AS１３からチャネル誘導メールが送信されてきた場合、それを受信し、制御部３２に出力する。
【００９５】
制御部３２はCPU(Central Processing Unit)，ROM(Read Only Memory)，RAM(Random Access Memory)などよりなり、所定のプログラムを実行してフェムトセル基地局１の全体の動作を制御する。
【００９６】
例えば、制御部３２は、エリアワンセグメント放送部３５を制御してエリアワンセグメント放送を行う。また、制御部３２は、チャネル誘導メールがネットワーク通信部３１から供給された場合、それを無線通信部３３に出力し、無線通信を介して移動機２１に送信する。
【００９７】
無線通信部３３は、空中線電力が２０ｍＷ以下などの所定の強度の通信波をアンテナ３４から出力し、W-CDMA、CDMA2000などの規格に従って、フェムトセルＦに在圏している移動機２１と無線通信を行う。無線通信部３３が出力する通信波は、エリアワンセグメント放送部３５が出力する放送波の周波数帯域とは異なる、２GHz帯、８００MHz帯などの周波数帯域の電波である。
【００９８】
無線通信部３３は、ネットワーク通信部３１から供給された音声データを、送信先として指定された移動機２１に送信する。また、無線通信部３３は、アンテナ３４から供給された信号に基づいて受信した移動機２１からの音声データをネットワーク通信部３１に出力する。
【００９９】
また、無線通信部３３は、制御部３２から供給されたチャネル誘導メールを移動機２１に送信する。
【０１００】
エリアワンセグメント放送部３５は、制御部３２による制御に従って放送波をアンテナ３６から出力し、複数のチャネルを使って複数のコンテンツを放送する。
【０１０１】
図５は、フェムトセル基地局１の機能構成例を示すブロック図である。
【０１０２】
図５に示す機能部のうちの少なくとも一部は、図４の制御部３２内のCPUにより所定のプログラムが実行されることによって実現される。図５に示すように、制御部３２においては、提供部５１、コンテンツ再生部５２、および放送制御部５３が実現される。
【０１０３】
提供部５１は、ネットワーク通信部３１から供給されたチャネル誘導メールを受信し、それを無線通信部３３に出力して、送信先として指定された移動機２１に送信する。チャネル誘導メールを受信した移動機２１においては、エリアワンセグメント放送の受信を管理するアプリケーションが起動し、指定されたチャネルの受信が開始されるから、チャネル誘導メールを提供部５１が送信することが、コンテンツを提供することに相当する。
【０１０４】
コンテンツ再生部５２は、フェムトセル基地局１に装着された図示せぬメモリカードに記録されている複数のコンテンツをそれぞれ再生し、放送制御部５３に出力する。エリアワンセグメント放送によって提供するコンテンツが、ネットワーク５に接続されるサーバからストリーミングなどによって供給される場合、コンテンツ再生部５２は、供給されたコンテンツを受信し、放送制御部５３に出力する。
【０１０５】
放送制御部５３は、エリアワンセグメント放送部３５を制御し、コンテンツ再生部５２により再生されたコンテンツを、複数のチャネルを使って放送する。
【０１０６】
図６は、移動機２１の構成例を示すブロック図である。
【０１０７】
図６に示すように、移動機２１は、アンテナ６１、無線通信部６２、制御部６３、音声処理部６４、操作部６５、表示部６６、ワンセグメント放送受信部６７、およびアンテナ６８から構成される。
【０１０８】
無線通信部６２は、アンテナ６１から電波を送信し、またはアンテナ６１においてフェムトセル基地局１を含む基地局からの電波を受信することによって、そのとき在圏しているセルを管理する基地局とW-CDMA、CDMA2000などの規格に従って通信を行う。
【０１０９】
例えば、無線通信部６２は、制御部６３から供給された移動機２１のユーザの音声のデータをフェムトセル基地局１に送信し、フェムトセル基地局１から送信されてきた、通話相手の音声のデータを制御部６３に出力する。また、無線通信部６２は、フェムトセルＦに在圏したタイミングで位置登録の要求をフェムトセル基地局１に送信する。
【０１１０】
無線通信部６２は、フェムトセル基地局１から送信されてきたチャネル誘導メールを受信し、制御部６３に出力する。
【０１１１】
制御部６３はCPU，ROM，RAMなどよりなり、所定のプログラムを実行して移動機２１の全体の動作を制御する。
【０１１２】
例えば、制御部６３は、無線通信部６２から供給されたチャネル誘導メールを受信し、チャネル誘導メールに含まれる情報に従って、ワンセグメント放送の受信を管理するアプリケーションを起動する。
【０１１３】
また、制御部６３は、アプリケーションを起動した後、ワンセグメント放送受信部６７を制御し、チャネル誘導メールによって指定されるチャネルを受信させる。制御部６３は、ワンセグメント放送受信部６７により受信され、再生されたコンテンツの映像信号を表示部６６に出力し、表示させる。
【０１１４】
制御部６３は、無線通信部６２から供給された音声データを音声処理部６４に出力し、音声処理部６４から供給された音声データを無線通信部６２に出力することなども行う。
【０１１５】
音声処理部６４は、制御部６３から供給された音声データをデコードし、通話相手の音声をスピーカから出力させる。また、音声処理部６４は、マイクロフォンにより集音した音声をエンコードし、移動機２１のユーザの音声のデータを制御部６３に出力する。
【０１１６】
操作部６５は、移動機２１の筐体表面に設けられるテンキーや決定ボタンなどの各種のボタン、あるいは、表示部６６に重ねて設けられるタッチパネルなどに対するユーザの操作を検出し、検出した操作の内容を表す信号を制御部６３に出力する。
【０１１７】
表示部６６はLCD(Liquid Crystal Display)などよりなり、制御部６３による制御に従って、エリアワンセグメント放送によって提供されたコンテンツの映像などの各種の情報を表示する。
【０１１８】
ワンセグメント放送受信部６７は、フェムトセル基地局１からの放送波がアンテナ６８において受信されたことに応じて供給された信号から、所定のチャネルの信号を制御部６３による制御に従って取得し、コンテンツを復調する。ワンセグメント放送受信部６７は、復調したコンテンツの映像信号を制御部６３に出力する。
【０１１９】
図７は、移動機２１の機能構成例を示すブロック図である。
【０１２０】
図７に示すように、制御部６３においては、チャネル誘導メール受信部７１、表示制御部７２、およびチャネル制御部７３が実現される。例えばチャネル制御部７３は、ワンセグメント放送の受信を管理するアプリケーションが実行されることによって実現される。
【０１２１】
チャネル誘導メール受信部７１は、無線通信部６２から供給されたチャネル誘導メールを受信する。チャネル誘導メール受信部７１は、受信したチャネル誘導メールを表示制御部７２とチャネル制御部７３に出力する。
【０１２２】
表示制御部７２は、チャネル誘導メール受信部７１からチャネル誘導メールが供給された場合、チャネル誘導メールの内容を表示部６６に表示させ、エリアワンセグメント放送が行われていることをユーザに通知する。
【０１２３】
また、表示制御部７２は、エリアワンセグメント放送によって提供されるコンテンツが受信され、コンテンツの映像信号がワンセグメント放送受信部６７から供給された場合、その映像信号を表示部６６に出力し、コンテンツの映像を表示させる。
【０１２４】
チャネル制御部７３は、エリアワンセグメント放送の受信を開始することがユーザにより指示された場合、ワンセグメント放送受信部６７を制御し、チャネル誘導メールに含まれる情報により指定されるチャネルを受信させる。
【０１２５】
図８は、HSS１１の構成例を示すブロック図である。
【０１２６】
CPU８１、ROM８２、RAM８３は、バス８４により相互に接続されている。バス８４には、さらに、入出力インタフェース８５が接続されている。入出力インタフェース８５には、キーボード、マウスなどよりなる入力部８６、ディスプレイ、スピーカなどよりなる出力部８７が接続される。また、バス８４には、ハードディスクや不揮発性のメモリなどよりなる記憶部８８と、通信部８９が接続される。
【０１２７】
通信部８９は、ネットワークインタフェースなどよりなり、フェムトセル基地局１などの外部の装置とネットワーク５を介して通信を行う。
【０１２８】
在圏・離圏管理AS１２、エリアワンセグメント放送管理AS１３、および来店回数管理AS１４も、図８に示すHSS１１の構成と同じ構成を有している。以下、適宜、図８に示す構成を在圏・離圏管理AS１２、エリアワンセグメント放送管理AS１３、来店回数管理AS１４の構成として引用して説明する。
【０１２９】
図９は、HSS１１、在圏・離圏管理AS１２、エリアワンセグメント放送管理AS１３、および来店回数管理AS１４の各装置の機能構成例を示すブロック図である。
【０１３０】
図９に示す機能構成のうちの少なくとも一部は、各装置のCPU８１が、例えば記憶部８８に記憶されているプログラムをRAM８３にロードして実行することにより実現される。
【０１３１】
図９に示すように、HSS１１においては在圏検出部１０１が実現され、在圏・離圏管理AS１２においては在圏管理部１１１が実現される。
【０１３２】
エリアワンセグメント放送管理AS１３においては、チャネル管理部１２１、チャネル誘導メール作成部１２２、在圏状況問い合わせ部１２３、およびチャネル誘導メール送信部１２４が実現される。来店回数管理AS１４においては、来店回数記憶部１３１、来店回数計算部１３２、および来店回数情報送信部１３３が実現される。
【０１３３】
HSS１１の在圏検出部１０１は、フェムトセル基地局１から送信されてくる情報を受信し、移動機２１がフェムトセルＦに在圏したことを検出する。在圏検出部１０１は、フェムトセル基地局１と移動機２１の認証を行った後、移動機２１の在圏情報を在圏・離圏管理AS１２に送信する。
【０１３４】
在圏・離圏管理AS１２の在圏管理部１１１は、HSS１１から送信されてきた在圏情報に基づいて、移動機２１が在圏しているセルに関する情報を記憶する。
【０１３５】
在圏管理部１１１は、在圏情報が送信されてきてから所定の時間が経過した場合、在圏情報を来店回数管理AS１４に送信する。また、在圏管理部１１１は、問い合わせに応じて、移動機２１の現在の在圏状況を表す在圏状況情報をエリアワンセグメント放送管理AS１３に送信する。
【０１３６】
エリアワンセグメント放送管理AS１３のチャネル管理部１２１は、フェムトセル基地局１を含む各フェムトセル基地局がエリアワンセグメント放送に使うチャネルの番号と、来店回数の関係を表す情報を記憶し、チャネルの番号と来店回数を対応付けて管理する。
【０１３７】
図１０は、チャネル管理部１２１により管理される情報の例を示す図である。
【０１３８】
図１０には、「００１」、「００２」、「００３」、「００４」のIDで識別されるフェムトセル基地局が使用するエリアワンセグメント放送のチャネルと来店回数の関係を示している。
【０１３９】
例えば、「００１」のIDで識別されるフェムトセル基地局によるエリアワンセグメント放送は、１６ch乃至１９chを使って行われる。
【０１４０】
１６chは、「００１」のIDで識別されるフェムトセル基地局が設置されている店舗への来店回数が１回である客用のコンテンツの放送に用いられるチャネルであり、１７chは、来店回数が２〜５回である客用のコンテンツの放送に用いられるチャネルとされている。
【０１４１】
同様に、１８chは、来店回数が６〜１０回である客用のコンテンツの放送に用いられるチャネルとされ、１９chは、来店回数が１１回以上である客用のコンテンツの放送に用いられるチャネルとされている。
【０１４２】
「００２」、「００３」、「００４」のIDで識別されるフェムトセル基地局により使われるチャネルについても、同様にして来店回数と対応付けて管理されている。１回は１６ch、２回は１７chといったように、来店回数毎に、異なるチャネルが対応付けて管理されるようにしてもよい。
【０１４３】
図９の説明に戻り、チャネル誘導メール作成部１２２は、移動機２１とフェムトセル基地局１の識別情報、および、移動機２１のユーザの来店回数の情報が来店回数管理AS１４から送信されてきた場合、それを受信する。
【０１４４】
チャネル誘導メール作成部１２２は、来店回数管理AS１４から送信されてきたフェムトセル基地局１の識別情報と対応付けてチャネル管理部１２１により管理されている複数のチャネルの中から、移動機２１のユーザの来店回数に応じたチャネルを決定する。
【０１４５】
また、チャネル誘導メール作成部１２２は、決定したチャネルを指定する情報を含むチャネル誘導メールを作成し、その送信先として、移動機２１のメールアドレスや電話番号を設定する。チャネル誘導メール作成部１２２には、移動機２１のメールアドレスや電話番号などの情報があらかじめ登録されている。
【０１４６】
チャネル誘導メール作成部１２２は、作成したチャネル誘導メールを在圏状況問い合わせ部１２３に出力する。
【０１４７】
在圏状況問い合わせ部１２３は、移動機２１の現在の在圏状況を在圏・離圏管理AS１２の在圏管理部１１１に問い合わせ、移動機２１がフェムトセルＦに在圏し続けていることを確認した場合、チャネル誘導メールをチャネル誘導メール送信部１２４に出力する。
【０１４８】
チャネル誘導メール送信部１２４は、在圏状況問い合わせ部１２３から供給されたチャネル誘導メールを、送信先として指定された移動機２１に送信する。
【０１４９】
来店回数管理AS１４の来店回数記憶部１３１は、各移動機の識別情報と、移動機のユーザの来店回数の情報を対応付けて記憶し、各店舗の客毎の過去の来店回数を管理する。
【０１５０】
来店回数計算部１３２は、在圏・離圏管理AS１２の在圏管理部１１１から移動機２１の在圏情報が送信されてきた場合、フェムトセル基地局１が設置されている店舗に対する、移動機２１のユーザの過去の来店回数を来店回数記憶部１３１から読み出す。
【０１５１】
また、来店回数計算部１３２は、読み出した回数に１を加えることによって来店回数を計算する。来店回数計算部１３２は、計算した来店回数の情報を来店回数情報送信部１３３に出力するとともに、来店回数記憶部１３１に記憶されている情報を更新する。
【０１５２】
来店回数情報送信部１３３は、移動機２１とフェムトセル基地局１の識別情報、および、来店回数計算部１３２により計算された来店回数の情報を来店回数情報としてエリアワンセグメント放送管理AS１３のチャネル誘導メール作成部１２２に送信する。
【０１５３】
以上においては、HSS１１、在圏・離圏管理AS１２、エリアワンセグメント放送管理AS１３、および来店回数管理AS１４がそれぞれ１つのコンピュータにより構成されるものとしたが、それぞれの装置が複数のコンピュータにより構成されるようにしてもよい。
【０１５４】
また、複数の装置により実現されるものとして図９に示す構成が１つのコンピュータ上にまとめて実現されるようにしてもよい。
【０１５５】
＜第２の実施の形態＞
［通信システムの構成例］
図１１は、本発明の他の実施形態に係る通信システムの構成例を示す図である。
【０１５６】
図１１に示す構成のうち、図１に示す構成と同じ構成には同じ符号を付してある。重複する説明については適宜省略する。
【０１５７】
図１１の構成は、来店回数管理AS１４の代わりにクーポン配信サイト管理AS２０１が設けられている点で図１の構成と異なる。
【０１５８】
クーポン配信サイト管理AS２０１は、クーポン画像の配信サイトを管理するアプリケーションサーバである。
【０１５９】
クーポン配信サイト管理AS２０１は、フェムトセルＦに在圏している移動機２１から、フェムトセルの無線通信を介してアクセスが行われた場合、アクセス回数に応じたクーポン画像を移動機２１に配信する。
【０１６０】
クーポン画像は、それを店員に提示することによって、フェムトセル基地局１が設置されている店舗において料金の割引などに使うことができる画像である。
【０１６１】
すなわち、図１１の通信システムにおいては、フェムトセル基地局１を経由してクーポン配信サイト管理AS２０１にアクセスした回数を店舗の来店回数とし、来店回数に応じたクーポン画像が、フェムトセルＦを使った無線通信によって提供される。
【０１６２】
図１２は、コンテンツとしてのクーポン画像の提供の例を示す図である。
【０１６３】
フェムトセル基地局１が飲食店などの店舗内に設置されており、店舗内にフェムトセルＦとエリアワンセグメント放送の受信可能エリアが形成されているものとする。
【０１６４】
店舗内においては、図１２の点線矢印Ａ２１で示すように、エリアワンセグメント放送を使って、店舗の広告動画コンテンツの放送が行われている。放送に使われているチャネルの番号を含む、広告動画コンテンツの受信方法などは、店舗に貼られているポスターなどで案内されている。
【０１６５】
図１２の例においては、ネットワーク５上のサーバ（広告配信システム）から配信された広告動画コンテンツが放送されているが、図１の場合と同様にフェムトセル基地局１により再生された広告動画コンテンツが放送されるようにしてもよい。
【０１６６】
店舗に入ったユーザＵ１は、移動機を操作して所定のチャネルを選択し、エリアワンセグメント放送によって提供される広告動画コンテンツの受信を開始させる。
【０１６７】
これにより、ユーザＵ１は広告動画コンテンツを視聴することができる。上述したように、在圏したことに応じてフェムトセル基地局１から送信されてくるチャネル誘導メールによって、広告動画コンテンツの受信が開始されるようにしてもよい。
【０１６８】
フェムトセル基地局１からは、クーポン配信サイト管理AS２０１のURL(Uniform Resource Locator)を含む情報もエリアワンセグメント放送（データ放送）によって提供される。
【０１６９】
広告動画コンテンツを表示する画面から、データ放送の内容を表示する画面に画面表示を切り替える操作が行われた場合、ユーザＵ１の移動機の画面にはクーポン配信サイト管理AS２０１のURLなどが表示される。
【０１７０】
この状態でクーポン配信サイト管理AS２０１のURLを選択する操作がユーザＵ１により行われた場合、実線矢印Ａ２２で示すように、クーポン配信サイト管理AS２０１に対するアクセスが移動機により行われる。
【０１７１】
クーポン配信サイト管理AS２０１においては、各移動機の識別情報と、これまでのアクセス回数が対応付けて管理されている。クーポン配信サイト管理AS２０１のURLはフェムトセル基地局１によるエリアワンセグメント放送によって提供されるから、そのURLを使ってクーポン配信サイト管理AS２０１にアクセスした回数は、フェムトセル基地局１が設置されている店舗の来店回数として扱うことが可能である。
【０１７２】
例えば、同じURLに基づいて１日に複数回アクセスを行ったとしてもアクセス回数が１回しか増えないような設定がクーポン配信サイト管理AS２０１にはなされている。
【０１７３】
来店したそれぞれの客がクーポン配信サイト管理AS２０１へのアクセスを１回行うとした場合、来店回数とクーポン配信サイト管理AS２０１にアクセスした回数は、それぞれフェムトセルＦの在圏回数に等しい回数になる。クーポン配信サイト管理AS２０１から提供されたクーポン画像は、フェムトセルＦの在圏回数に応じたコンテンツともいえる。
【０１７４】
ユーザＵ１の移動機によるアクセスが行われた場合、実線矢印Ａ２３で示すように、クーポン配信サイト管理AS２０１からユーザＵ１の移動機に対して、来店回数に応じたクーポン画像が送信される。
【０１７５】
図１２の例においては、ユーザＵ１の来店回数は１０回とされ、「おめでとうございます！本日１０回目のご来店です。焼酎ボトルをプレゼント！」のメッセージを含むクーポン画像がユーザＵ１の移動機に送信されている。ユーザＵ１は、このクーポン画像を移動機の画面に表示させ、店員にみせることによって、焼酎ボトルのサービスを受けることができる。
【０１７６】
クーポン配信サイト管理AS２０１から送信されてくるクーポン画像の内容は、ユーザの来店回数によって異なるものになる。
【０１７７】
このように、図１１の通信システムにおいては、エリアワンセグメント放送によって提供されるコンテンツはどの客に対しても同じであるが、フェムトセルＦを使った無線通信によって提供されるコンテンツが、来店回数によって異なるものになる。
【０１７８】
［通信システムの処理］
図１３のシーケンスを参照して、来店回数に応じたコンテンツを、フェムトセルを使った無線通信によって提供する図１１の通信システムの処理について説明する。
【０１７９】
ここでは、移動機２１のユーザが自ら操作してエリアワンセグメント放送の受信を開始させるのではなく、エリアワンセグメント放送管理AS１３から送信されてきたチャネル誘導メールによってエリアワンセグメント放送の受信が開始されるものとする。
【０１８０】
この処理は、移動機２１がフェムトセルＦに在圏したときに開始される。移動機２１がフェムトセルＦに在圏する前のステップＳ１４１において、広告動画コンテンツと、クーポン配信サイト管理AS２０１のURLを提供するエリアワンセグメント放送が、所定のチャネルを使ってフェムトセル基地局１により開始されている。
【０１８１】
ステップＳ１５１において、移動機２１は位置登録の要求をフェムトセル基地局１に送信する。
【０１８２】
ステップＳ１４２において、フェムトセル基地局１は、移動機２１からの位置登録の要求を受信する。
【０１８３】
ステップＳ１４３において、フェムトセル基地局１は、フェムトセルＦに新たに在圏した移動機２１の識別情報と、自身の識別情報を送信し、移動機２１と自身の認証をHSS１１に行わせる。
【０１８４】
ステップＳ１０１において、HSS１１は、フェムトセル基地局１から送信されてきた情報を受信し、あらかじめ登録されている情報を参照するなどしてフェムトセル基地局１と移動機２１の認証を行う。
【０１８５】
フェムトセル基地局１と移動機２１の認証が成功した場合、ステップＳ１０２において、HSS１１は、移動機２１の在圏情報を在圏・離圏管理AS１２に送信する。在圏情報には、フェムトセル基地局１の識別情報と移動機２１の識別情報が含まれている。
【０１８６】
ステップＳ１１１において、在圏・離圏管理AS１２は、HSS１１から送信されてきた在圏情報を受信する。
【０１８７】
ステップＳ１１２において、在圏・離圏管理AS１２は、タイマにより所定の時間の計測を開始する。
【０１８８】
あらかじめ設定されている所定の時間が経過した場合、ステップＳ１１３において、在圏・離圏管理AS１２は、HSS１１から送信されてきた在圏情報をエリアワンセグメント放送管理AS１３に送信する。
【０１８９】
ステップＳ１２１において、エリアワンセグメント放送管理AS１３は、在圏・離圏管理AS１２から送信されてきた在圏情報を受信する。
【０１９０】
ステップＳ１２２において、エリアワンセグメント放送管理AS１３は、フェムトセル基地局１がエリアワンセグメント放送に使っているチャネルを指定する情報を含むチャネル誘導メールを作成する。
【０１９１】
ステップＳ１２３において、エリアワンセグメント放送管理AS１３はチャネル誘導メールを送信する。エリアワンセグメント放送管理AS１３から送信されたチャネル誘導メールは、ネットワーク５、ブロードバンド回線４、モデム３、およびLANケーブル２を介してフェムトセル基地局１に到達する。
【０１９２】
ステップＳ１４４において、フェムトセル基地局１は、エリアワンセグメント放送管理AS１３から送信されてきたチャネル誘導メールを受信し、無線通信を介して移動機２１に送信する。
【０１９３】
ステップＳ１５２において、移動機２１は、フェムトセル基地局１から送信されてきたチャネル誘導メールを受信する。
【０１９４】
ステップＳ１５３において、移動機２１はチャネル誘導メールの内容を表示する。
【０１９５】
移動機２１に設けられる決定ボタンを押すなどの所定の操作がユーザにより行われた場合、ステップＳ１５４において、移動機２１は、ワンセグメント放送の受信を管理するアプリケーションを起動し、指定されるチャネルの受信を開始する。
【０１９６】
移動機２１の画面には広告動画コンテンツの映像が表示される。データ放送の内容を表示する画面に画面表示を切り替える操作が行われた場合、移動機２１の画面には、クーポン配信サイト管理AS２０１のURLなどが表示される。
【０１９７】
クーポン配信サイト管理AS２０１にアクセスすることが指示された場合、ステップＳ１５５において、移動機２１は、フェムトセル基地局１を経由してクーポン配信サイト管理AS２０１にアクセスする。
【０１９８】
ステップＳ１３１において、クーポン配信サイト管理AS２０１は、移動機２１のアクセスを受け、ステップＳ１３２に進み、移動機２１のユーザの来店回数を計算する。
【０１９９】
ステップＳ１３３において、クーポン配信サイト管理AS２０１は、計算した来店回数に応じたクーポン画像を送信する（ダウンロードさせる）。エリアワンセグメント放送管理AS１３から送信されたクーポン画像は、ネットワーク５、ブロードバンド回線４、モデム３、およびLANケーブル２を介してフェムトセル基地局１に到達する。
【０２００】
ステップＳ１４５において、フェムトセル基地局１は、クーポン配信サイト管理AS２０１から送信されてきたクーポン画像を受信し、無線通信を介して移動機２１に送信する。
【０２０１】
ステップＳ１５６において、移動機２１は、フェムトセル基地局１から送信されてきたクーポン画像を受信し、ステップＳ１５７に進み、クーポン画像を表示する。
【０２０２】
以上の処理により、来店回数に応じたクーポン画像を移動機２１に提供することができる。
【０２０３】
［各装置の構成例］
ここで、図１１の各装置の構成について説明する。重複する説明については適宜省略する。
【０２０４】
図１１のフェムトセル基地局１も、図４，５に示す構成と同じ構成を有している。
【０２０５】
提供部５１（図５）は、クーポン配信サイト管理AS２０１から送信され、ネットワーク通信部３１により受信されたクーポン画像を取得する。提供部５１は、取得したクーポン画像を無線通信部３３に出力し、無線通信によって移動機２１に送信する。
【０２０６】
コンテンツ再生部５２は、フェムトセル基地局１に装着された図示せぬメモリカードに記録されている広告動画コンテンツを再生し、放送制御部５３に出力する。また、コンテンツ再生部５２は、データ放送によって提供するクーポン配信サイト管理AS２０１のURLを含む情報をメモリカードから読み出し、放送制御部５３に出力する。
【０２０７】
放送制御部５３は、エリアワンセグメント放送部３５を制御し、所定のチャネルを使って、広告動画コンテンツとクーポン配信サイト管理AS２０１のURLを含む情報を放送する。
【０２０８】
図１１の移動機２１は、図６に示す構成と同じハードウエア構成を有している。
【０２０９】
無線通信部６２は、フェムトセル基地局１から送信されてきたクーポン画像を受信し、制御部６３に出力する。
【０２１０】
ワンセグメント放送受信部６７は、所定のチャネルを受信し、広告動画コンテンツとクーポン配信サイト管理AS２０１のURLを含む情報を制御部６３に出力する。
【０２１１】
図１４は、図１１の移動機２１の機能構成例を示すブロック図である。
【０２１２】
移動機２１においては、上述したチャネル誘導メール受信部７１、表示制御部７２、およびチャネル制御部７３に加えて、クーポン画像取得部２１１が実現される。
【０２１３】
ワンセグメント放送受信部６７により受信された広告動画コンテンツは表示制御部７２に供給され、クーポン配信サイト管理AS２０１のURLを含む、データ放送によって提供された情報は表示制御部７２とクーポン画像取得部２１１に供給される。
【０２１４】
表示制御部７２は、ワンセグメント放送受信部６７から供給された情報に基づいて、広告動画コンテンツを表示部６６に表示させる。
【０２１５】
また、表示制御部７２は、データ放送の内容を表示することが指示された場合、ワンセグメント放送受信部６７から供給された情報に基づいて、クーポン配信サイト管理AS２０１のURLを含む情報を表示させる。
【０２１６】
クーポン画像取得部２１１は、クーポン配信サイト管理AS２０１にアクセスすることがユーザにより指示された場合、無線通信部６２による無線通信を介してクーポン配信サイト管理AS２０１にアクセスする。
【０２１７】
クーポン画像取得部２１１は、アクセスすることに応じてクーポン配信サイト管理AS２０１から送信され、フェムトセル基地局１を経由して送信されてきたクーポン画像を受信し、取得する。クーポン画像取得部２１１は、取得したクーポン画像を表示制御部７２に出力し、表示部６６に表示させる。
【０２１８】
図１１のHSS１１、在圏・離圏管理AS１２、エリアワンセグメント放送管理AS１３、およびクーポン配信サイト管理AS２０１は、図８に示す構成と同じハードウエア構成を有している。
【０２１９】
図１５は、HSS１１、在圏・離圏管理AS１２、エリアワンセグメント放送管理AS１３、およびクーポン配信サイト管理AS２０１の機能構成例を示すブロック図である。
【０２２０】
所定のプログラムが各装置のCPU８１（図８）により実行されることによって、図１５に示すように、HSS１１においては在圏検出部１０１が実現され、在圏・離圏管理AS１２においては在圏管理部１１１が実現される。エリアワンセグメント放送管理AS１３においてはチャネル管理部１２１、チャネル誘導メール作成部１２２、およびチャネル誘導メール送信部１２４が実現され、クーポン配信サイト管理AS２０１においては来店回数記憶部２２１、来店回数計算部２２２、クーポン画像管理部２２３、およびクーポン画像送信部２２４が実現される。
【０２２１】
HSS１１の在圏検出部１０１は、移動機２１がフェムトセルＦに在圏したことを検出する。在圏検出部１０１は、フェムトセルＦに移動機２１が在圏していることを表す在圏情報を在圏・離圏管理AS１２に送信する。
【０２２２】
在圏・離圏管理AS１２の在圏管理部１１１は、HSS１１から送信されてきた在圏情報に基づいて、移動機２１が在圏しているセルに関する情報を記憶する。在圏管理部１１１は、移動機２１の在圏状況を表す在圏状況情報をエリアワンセグメント放送管理AS１３に送信する。
【０２２３】
エリアワンセグメント放送管理AS１３のチャネル管理部１２１は、フェムトセル基地局１を含む各フェムトセル基地局がエリアワンセグメント放送に使うチャネルの番号を管理する。例えば、チャネル管理部１２１は、フェムトセル基地局の識別情報と対応付けて、各フェムトセル基地局が広告動画コンテンツなどの提供に使っているエリアワンセグメント放送のチャネル番号の情報を記憶している。
【０２２４】
チャネル誘導メール作成部１２２は、移動機２１の在圏状況情報が在圏・離圏管理AS１２から送信されてきた場合、チャネル管理部１２１により管理されている情報に基づいて、フェムトセル基地局１が使っているエリアワンセグメント放送のチャネルを指定する情報を含むチャネル誘導メールを作成する。
【０２２５】
また、チャネル誘導メール作成部１２２は、チャネル誘導メールの送信先として、移動機２１のメールアドレスや電話番号を設定する。チャネル誘導メール作成部１２２には、移動機２１のメールアドレスや電話番号などの情報があらかじめ登録されている。上述したように、HSS１１に登録されている移動機２１のメールアドレスや電話番号などの情報がチャネル誘導メールの作成に用いられるようにしてもよい。
【０２２６】
チャネル誘導メール作成部１２２は、作成したチャネル誘導メールをチャネル誘導メール送信部１２４に出力する。
【０２２７】
チャネル誘導メール送信部１２４は、チャネル誘導メール作成部１２２から供給されたチャネル誘導メールを、送信先として指定された移動機２１に送信する。
【０２２８】
クーポン配信サイト管理AS２０１の来店回数記憶部２２１は、移動機の識別情報とアクセス回数の情報を対応付けて記憶し、各店舗の客毎の来店回数を管理する。
【０２２９】
来店回数計算部２２２は、移動機２１からのアクセスを受けた場合、移動機２１の識別情報と対応付けて管理されている来店回数を来店回数記憶部２２１から読み出し、読み出した回数に１を加えることによって、移動機２１のユーザの現在の来店回数を計算する。来店回数計算部２２２は、計算した来店回数の情報をクーポン画像管理部２２３に出力するとともに、来店回数記憶部２２１に記憶されている情報を更新する。
【０２３０】
クーポン画像管理部２２３は、クーポン画像と来店回数の関係を表す情報を記憶する。
【０２３１】
図１６は、クーポン画像管理部２２３により管理される情報の例を示す図である。
【０２３２】
図１６には、「００１」、「００２」、「００３」、「００４」のIDで識別されるフェムトセル基地局が提供するクーポン画像と来店回数の関係を示している。
【０２３３】
例えば、「００１」のIDで識別されるフェムトセル基地局が設置されている店舗に来店した客には画像＃１１乃至＃１４が提供される。
【０２３４】
画像＃１１は、「００１」のIDで識別されるフェムトセル基地局が設置されている店舗への来店回数が１回である客用のクーポン画像であり、画像＃１２は、来店回数が２〜５回である客用のクーポン画像とされている。
【０２３５】
同様に、画像＃１３は、来店回数が６〜１０回である客用のクーポン画像とされ、画像＃１４は、来店回数が１１回以上である客用のクーポン画像とされている。
【０２３６】
「００２」、「００３」、「００４」のIDで識別されるフェムトセル基地局が設置されている店舗に来店した客に提供するクーポン画像についても、同様にして管理されている。
【０２３７】
図１５の説明に戻り、クーポン画像管理部２２３は、あるユーザの来店回数の情報が来店回数計算部２２２から供給された場合、そのユーザが来店した店舗において提供されるクーポン画像の中から、来店回数に応じたクーポン画像を選択する。
【０２３８】
クーポン画像管理部２２３は、選択したクーポン画像を、送信先とする移動機２１の情報とともにクーポン画像送信部２２４に出力する。
【０２３９】
クーポン画像送信部２２４は、クーポン画像管理部２２３から供給されたクーポン画像を移動機２１に送信する。
【０２４０】
＜第３の実施の形態＞
以上においては、来店回数の管理やチャネル誘導メールの作成がコアネットワーク側のアプリケーションサーバにより行われるものとしたが、それらの機能をフェムトセル基地局１に持たせることも可能である。
【０２４１】
［フェムトセル基地局の構成例］
図１７は、来店回数を管理する機能とチャネル誘導メールを作成する機能を有するフェムトセル基地局１の機能構成例を示すブロック図である。
【０２４２】
図１７に示す構成のうち、図５の構成と同じ構成には同じ符号を付してある。なお、フェムトセル基地局１のハードウエア構成は図４に示す構成と同じである。
【０２４３】
図１７に示すように、フェムトセル基地局１の制御部３２においては、提供部５１、コンテンツ再生部５２、放送制御部５３、在圏検出部３０１、来店回数計算部３０２、来店回数記憶部３０３、チャネル誘導メール作成部３０４、およびチャネル管理部３０５が実現される。
【０２４４】
来店回数計算部３０２は、来店回数管理AS１４が有する図９の来店回数計算部１３２に対応し、来店回数記憶部３０３は来店回数記憶部１３１に対応する。チャネル誘導メール作成部３０４は、図９のエリアワンセグメント放送管理AS１３が有するチャネル誘導メール作成部１２２に対応し、チャネル管理部３０５はチャネル管理部１２１に対応する。
【０２４５】
図１７のフェムトセル基地局１においては、フェムトセルＦに在圏した回数に応じた動画コンテンツが、エリアワンセグメント放送によって提供される。
【０２４６】
提供部５１は、無線通信部３３を制御し、チャネル誘導メール作成部３０４から供給されたチャネル誘導メールを移動機２１に送信する。
【０２４７】
コンテンツ再生部５２は、複数のコンテンツをそれぞれ再生し、再生したコンテンツを放送制御部５３に出力する。
【０２４８】
放送制御部５３は、エリアワンセグメント放送部３５を制御し、複数のチャネルを使って、チャネル毎に異なるコンテンツを放送する。
【０２４９】
在圏検出部３０１は、移動機２１がフェムトセルＦに在圏したことを検出する。例えば、位置登録の要求が移動機２１から送信され、無線通信部３３において受信されたことに応じて移動機２１が在圏したことが検出される。在圏検出部３０１は、在圏を検出した移動機２１の識別情報を来店回数計算部３０２に出力する。
【０２５０】
来店回数計算部３０２は、移動機２１のユーザのこれまでの来店回数を来店回数記憶部３０３から読み出し、読み出した回数に１を加えることによって移動機２１のユーザの現在の来店回数を計算する。また、来店回数計算部３０２は、計算した来店回数の情報をチャネル誘導メール作成部３０４に出力するとともに、来店回数記憶部３０３に記憶されている情報を更新する。
【０２５１】
来店回数記憶部３０３は、フェムトセルＦに在圏したそれぞれの移動機の識別情報と来店回数の情報を対応付けて記憶し、フェムトセル基地局１が設置されている店舗の客毎の来店回数を管理する。この例においても、移動機の在圏回数が来店回数として扱われている。
【０２５２】
チャネル誘導メール作成部３０４は、チャネル管理部３０５により管理されている情報に基づいて、移動機２１のユーザの来店回数に応じたチャネルを指定する情報を含むチャネル誘導メールを作成する。
【０２５３】
また、チャネル誘導メール作成部３０４は、チャネル誘導メールの送信先として、あらかじめ登録されている移動機２１の電子メールアドレスや電話番号を設定する。チャネル誘導メール作成部１２２は、作成したチャネル誘導メールを提供部５１に出力する。
【０２５４】
チャネル管理部３０５は、エリアワンセグメント放送に使うチャネルの番号と来店回数の関係を表す情報を対応付けて記憶する。
【０２５５】
［フェムトセル基地局の動作］
図１８のフローチャートを参照して、図１７の構成を有するフェムトセル基地局１の処理について説明する。
【０２５６】
この処理は、例えば、フェムトセル基地局１の電源がオンにされ、エリアワンセグメント放送を開始することが管理者により指示されたときに開始される。フェムトセル基地局１の筐体には、そのような指示を行うときに操作されるボタンなども設けられている。
【０２５７】
ステップＳ３０１において、放送制御部５３は、エリアワンセグメント放送部３５を制御してエリアワンセグメント放送を開始する。複数のチャネルを使って、チャネル毎に異なるコンテンツの提供が開始される。
【０２５８】
ステップＳ３０２において、在圏検出部３０１は、フェムトセルＦに移動機が在圏したか否かを判定し、在圏したと判定するまで待機する。
【０２５９】
例えば、移動機２１がフェムトセルＦに在圏したことによって、フェムトセルＦに移動機が在圏したとステップＳ３０２において判定された場合、ステップＳ３０３において、来店回数計算部３０２は、移動機２１のユーザの来店回数を計算する。
【０２６０】
ステップＳ３０４において、チャネル誘導メール作成部３０４は、来店回数に応じたコンテンツの放送が行われているチャネルを指定する情報を含むチャネル誘導メールを作成する。
【０２６１】
ステップＳ３０５において、提供部５１は、無線通信部３３を制御し、チャネル誘導メールを移動機２１に送信する。その後、ステップＳ３０２に戻り、それ以降の処理が繰り返される。
【０２６２】
以上の処理によっても、来店回数に応じた動画コンテンツを、エリアワンセグメント放送を使って提供することができる。
【０２６３】
図１８の例においては、来店回数に応じたコンテンツ（動画コンテンツ）をエリアワンセグメント放送を使って提供するものとしたが、フェムトセルＦを使い、無線通信を介して提供するようにしてもよい。この場合、提供するコンテンツは動画コンテンツに限られず、上述したようなクーポン画像であってもよい。
【０２６４】
＜変形例＞
以上においては、チャネル誘導メールにはワンセグメント放送の受信を管理するアプリケーションを起動させるコマンドと、受信するチャネルを指定する情報が含まれるものとしたが、アプリケーションを起動させ、所定のチャネルを受信させる方法はチャネル誘導メールを用いた方法に限られない。
【０２６５】
例えば、常時起動しているアプリケーションであるウィジェットが移動機にインストールされている場合、そのウィジェットに対して、フェムトセル基地局１から受信チャネルが通知されるようにしてもよい。そのような通知を受信した場合、移動機の画面には、所定のチャネルでエリアワンセグメント放送が行われていることを通知する情報がウィジェットにより表示される。
【０２６６】
ユーザは、その表示を確認してウィジェットを選択し、ワンセグメント放送の受信を管理するアプリケーションを起動させ、通知されたチャネルの受信を開始させる。
【０２６７】
また、移動機によるエリアワンセグメント放送の受信をＥメールやSMSにより制御するのではなく、SIPのクライアント機能が移動機に搭載されている場合、SIPの制御コマンドをエリアワンセグメント放送管理AS１３などから移動機に対して送信することによって制御するようにしてもよい。
【０２６８】
フェムトセル基地局１に替えて、「ピコセル」、「マイクロセル」と呼ばれる小型セルを形成する基地局が設けられ、その基地局により、以上のようにしてコンテンツが提供されるようにしてもよい。小型基地局は、フェムトセル、ピコセル、マイクロセル等の小型セルを形成する基地局である。
【０２６９】
本発明の実施の形態は、上述した実施の形態に限定されるものではなく、本発明の要旨を逸脱しない範囲において種々の変更が可能である。
【符号の説明】
【０２７０】
１  フェムトセル基地局，  １１  HSS，  １２  在圏・離圏管理AS，  １３  エリアワンセグメント放送管理AS，  １４  来店回数管理AS，  ２１  移動機，  ３１  ネットワーク通信部，  ３２  制御部，  ３３  無線通信部，  ３５  エリアワンセグメント放送部，  ５１  提供部，  ５２  コンテンツ再生部，  ５３  放送制御部
【図１】
0005623050.tif 000002
【図２】
0005623050.tif 000003
【図３】
0005623050.tif 000004
【図４】
0005623050.tif 000005
【図５】
0005623050.tif 000006
【図６】
0005623050.tif 000007
【図７】
0005623050.tif 000008
【図８】
0005623050.tif 000009
【図９】
0005623050.tif 000010
【図１０】
0005623050.tif 000011
【図１１】
0005623050.tif 000012
【図１２】
0005623050.tif 000013
【図１３】
0005623050.tif 000014
【図１４】
0005623050.tif 000015
【図１５】
0005623050.tif 000016
【図１６】
0005623050.tif 000017
【図１７】
0005623050.tif 000018
【図１８】
0005623050.tif 000019